(57)【特許請求の範囲】
【請求項１】
外筒部と回動操作部とを備え、両者の相対回転によってその内部の棒状化粧料を昇降させるレフィルと、上記レフィルとこのレフィル保持用のアダプタを内蔵する筒状のレフィルホルダとを備える棒状化粧料テスターであって、上記レフィルホルダは、その上端に、上記レフィルの外筒部を出入りさせるための上側開口を有し、その下端に、レフィル挿入用の下側開口を有し、その内側面に、上下方向に延びる案内溝が形成され、上記上側開口の縁部には、蓋体がヒンジを介して取り付けられているとともに、上記レフィル保持用のアダプタは、上記レフィルホルダの案内溝に係合する凸部を側面に備え、展示台のテスター挿入穴に挿通してテスター全体を起立状態で支持するための筒部を下側に備え、上記案内溝に沿ったスライド自在になっており、上記レフィルは、その下端の回動操作部が上記アダプタに係合されていて、上記アダプタの筒部の操作により、その全体が上記レフィルホルダ内で昇降自在になっていることを特徴とする棒状化粧料テスター。
【請求項２】
上記レフィルホルダの内側面の案内溝が、外部から目視可能になっている請求項１記載の棒状化粧料テスター。
【請求項３】
上記アダプタの凸部が、このアダプタの側面に形成された可撓片上に設けられている請求項１または２記載の棒状化粧料テスター。
【請求項４】
上記蓋体が、色見本部となっている請求項１〜３のいずれか一項に記載の棒状化粧料テスター。
【発明の詳細な説明】
【技術分野】
【０００１】
本発明は、店頭等に展示され、口紅，リップクリーム等の棒状化粧料を繰り出して試用するためのテスターに関するものである。
【背景技術】
【０００２】
従来から、口紅等の色見本品を店頭等で展示する際には、図７に示すように、それぞれ色の異なる色見本２１を有する複数のテスター２０を、展示台３０に着脱自在に取り付けることが行われている。上記テスター２０は、筒状のレフィルホルダ２２を有し、その上側に、口紅の色を有する口紅状の色見本２１が取り付けられ、その下側に試供用の筒状カートリッジ（試供品用のレフィル２４）が着脱自在に収容されている。このテスター２０は、展示台３０の上面に設けられたテスター挿入穴３０ａに、上記試供品用のレフィル２４の先端部を差し込むことにより、展示台３０に着脱自在に取り付けられている（特許文献１，２等を参照）。
【０００３】
このテスター２０に収容される試供品用のレフィル２４は、図８の分解図のように、外筒（外筒部２５）と、らせん状の溝を有する螺旋筒２６と、長手（軸）方向の案内溝を有する小径のガイド部２７ａおよび大径の回動操作部２７ｂからなる内筒（案内筒２７）と、外周に上記案内溝と係合する突起を有する繰出筒２８とから構成されている。そして、筒状体として組み立てられた状態で、上記外筒と、この外筒の下部から露出する上記案内筒２７の回動操作部２７ｂとを相対回転させることにより、上記繰出筒２８に端部を保持された口紅を、筒状体の軸方向に昇降させることができるように構成されている（特許文献３，４等を参照）。
【０００４】
上記テスター２０は、図９の分解図に示すように、色見本２１と、それが上面に装着されるレフィルホルダ２２と、そのレフィルホルダ２２に収容されるアダプタ２３と、上記レフィル２４とを備えている。このレフィル２４は、その筒状体の開口（棒状化粧料の繰出口）を下に向けた状態でアダプタ２３に嵌入され、このアダプタ２３ごとレフィルホルダ２２の下端開口から押し込まれて、上記レフィルホルダ２２の内側に下向きに保持されている。
【０００５】
また、アダプタ２３の内周（筒部の底部近傍）には、上記案内筒２７の回動操作部２７ｂのみを固定する複数のリブ（図示省略）が設けられており、上記レフィル２４がレフィルホルダ２２の内側に下向きに保持された際は、このレフィルホルダ２２および上記アダプタ２３と、上記レフィル２４の回動操作部２７ｂとが一体となって、上記外筒部２５に対して相対回転するように構成されている。
【０００６】
そして、顧客（ユーザー）が上記テスター２０を試用する場合は、このテスター２０を展示台３０から抜き出して上下を逆にし、図１０のように、試供品用のレフィル２４を上に向けた状態で、このレフィル２４におけるレフィルホルダ２２から突出している部位（図中の外筒部２５の先端部）と、レフィルホルダ２２とを相対回転させて棒状化粧料を繰り出し、試し塗りすることが行われる。
【０００７】
なお、試供品用レフィル２４が使い尽くされたり、その内部に収容された口紅がすり減って見栄えが悪くなったりしたときは、上記試供品用レフィル２４に代えて、市販品（商品）に用いられているカートリッジ（市販品用のレフィル）を、上記レフィルホルダ２２に収容して展示する場合がある。
【先行技術文献】
【特許文献】
【０００８】
【特許文献１】特開平８−１１７０６９号公報
【特許文献２】特開平９−３２２８２０号公報
【特許文献３】特開２００８−１８３２１１号公報
【特許文献４】特開２００６−２０４４１５号公報
【発明の概要】
【発明が解決しようとする課題】
【０００９】
ところで、このような口紅テスターの展示においては、通常、図７に示すように、テスター２０は、試供品用レフィル２４を展示台３０のテスター挿入穴３０ａに差し込んで、その上部の色見本２１がユーザーから見えるように載置されるため、下方を向くレフィル２４の開口部には、カバーやキャップ等の蓋部材が設けられていない。
【００１０】
ところが、近年、密着感やツヤ等を向上させた口紅等、従来よりオイルリッチで低粘度・低融点の棒状化粧料が商品化されたことから、テスターを展示する場所によっては、夏場等の気温の上昇あるいは照明光による温度上昇等により、棒状化粧料が軟化してしまう場合があることが分かってきた。また、この棒状化粧料の粘度が低い場合、あるいは、温度上昇による軟化が極端な場合、展示時に開口を下にして配置されているレフィルから、溶融した棒状化粧料の滴が落下するおそれがあり、最悪の場合、棒状化粧料自身がレフィルから抜け落ちる等の問題が発生する可能性がある。
【００１１】
そこで、単にレフィルを上向きに保持するテスターも考えられる。しかしながら、テスターの外形形状を大幅に変更すれば、このテスターを展示する展示台や陳列台等の設計も変更する必要が生じ、過大なコストアップとなる。また、試用に供される棒状化粧料のテスターは、市販品とは異なり、不特定多数の人が使用するため、１）簡単かつ直感的に操作可能であること。２）埃よけに設けた蓋やキャップ等を紛失しない構造であること、３）レフィルの交換が容易で、試供品用および市販品用の両タイプのレフィルに対応できることが求められる。
【００１２】
さらに、上記試供品用のレフィルに代えて、市販品用のレフィルをそのまま用いるには、無理嵌めや、別途アダプタを要する等の構造的な問題も生じる。
【００１３】
本発明は、このような事情に鑑みなされたもので、レフィルを上向きに保持しながらも、操作が簡単で、しかも従来のテスター用展示台がそのまま利用できる棒状化粧料テスターの提供をその目的とする。
【課題を解決するための手段】
【００１４】
上記の目的を達成するため、本発明は、外筒部と回動操作部とを備え、両者の相対回転によってその内部の棒状化粧料を昇降させるレフィルと、上記レフィルとこのレフィル保持用のアダプタを内蔵する筒状のレフィルホルダとを備える棒状化粧料テスターであって、上記レフィルホルダは、その上端に、上記レフィルの外筒部を出入りさせるための上側開口を有し、その下端に、レフィル挿入用の下側開口を有し、その内側面に、上下方向に延びる案内溝が形成され、上記上側開口の縁部には、蓋体がヒンジを介して取り付けられているとともに、上記レフィル保持用のアダプタは、上記レフィルホルダの案内溝に係合する凸部を側面に備え、展示台のテスター挿入穴に挿通してテスター全体を起立状態で支持するための筒部を下側に備え、上記案内溝に沿ったスライド自在になっており、上記レフィルは、その下端の回動操作部が上記アダプタに係合されていて、上記アダプタの筒部の操作により、その全体が上記レフィルホルダ内で昇降自在になっている棒状化粧料テスターを第１の要旨とする。
【００１５】
また、本発明は、そのなかでも、上記レフィルホルダの内側面の案内溝が、外部から目視可能になっている棒状化粧料テスターを第２の要旨とする。
【００１６】
さらに、本発明は、それらのなかでも、特に、上記アダプタの凸部が、このアダプタの側面に形成された可撓片上に設けられている棒状化粧料テスターを第３の要旨とする。
【００１７】
さらにまた、本発明の棒状化粧料テスターは、それらのなかでも、上記蓋体が、色見本部となっている棒状化粧料テスターを第４の要旨とする。
【発明の効果】
【００１８】
本発明は、化粧料が充填されたレフィルを、従来のような下向きではなく、上向きに収容し、テスターを展示台から抜き出して素早く使用できるようにしたものであって、筒状のレフィルホルダの上端面に、レフィルの外筒部を出入りさせるための上側開口を設け、下端面にレフィル挿入用の下側開口を有し、上記レフィルが、棒状化粧料を上に向けた状態でこのレフィルホルダに収容される。したがって、夏場等の気温の上昇あるいは照明光による温度上昇等により棒状化粧料が軟化した場合でも、液垂れ等の不具合が生じにくい。
【００１９】
また、レフィルホルダの上側開口に、それを覆う蓋体を設けたため、レフィルの内部に埃や異物等が入り込むことがない。さらに、アダプタは、上記レフィルを上向きに保持するものであって、下側に、展示台のテスター挿入穴に挿通してテスター全体を起立状態で支持するための筒部を有しているため、従来のテスター用展示台をそのまま利用することができる。
【００２０】
また、本発明の棒状化粧料テスターにおいて、上記レフィルホルダの内側面の案内溝が、外部から目視可能になっているときは、レフィルホルダ内部のレフィルを上下にスライドさせる、というこのテスターの操作方法が、試用するユーザーに理解され易く、詳しい説明書き等がなくても、このテスターを直感的に使用できるという利点がある。
【００２１】
さらに、本発明の棒状化粧料テスターにおいて、上記アダプタの凸部が、このアダプタの側面に形成された可撓片上に設けられているときは、このアダプタのレフィルホルダに対する着脱を容易に行うことができ、好ましい。
【００２２】
さらにまた、本発明の棒状化粧料テスターにおいて、上記蓋体が、色見本部となっているときは、この蓋体を開けることなく、レフィル内部に収容された棒状化粧料の色を、即座に判別することが可能になる。
【図面の簡単な説明】
【００２３】
【図１】本発明の実施形態の棒状化粧料テスターにおいて試供品用のレフィルを収容する例を示す分解斜視図である。
【図２】試供品用のレフィルを収容した棒状化粧料テスターの構造を示す要部断面図である。
【図３】（ａ），（ｂ）はともに、本実施形態における棒状化粧料テスターの使用方法を示す説明図である。
【図４】本発明の実施形態の棒状化粧料テスターにおいて市販品用のレフィルを収容する例を示す分解斜視図である。
【図５】市販品用のレフィルを収容した棒状化粧料テスターの構造を示す断面図である。
【図６】（ａ），（ｂ）はともに、本実施形態の棒状化粧料テスターにおけるアダプタの他の形状例を示す斜視図である。
【図７】従来の棒状化粧料テスターの展示方法を示す説明図である。
【図８】試供品用レフィルの構成を示す分解斜視図である。
【図９】試供品用のレフィルを収容した従来の棒状化粧料テスターの構成を示す分解斜視図である。
【図１０】従来の棒状化粧料テスターの使用方法を説明する説明図である。
【発明を実施するための形態】
【００２４】
つぎに、本発明の実施の形態を、図面にもとづいて詳しく説明する。ただし、本発明は、この実施の形態に限定されるものではない。
【００２５】
図１は、本実施形態における棒状化粧料テスターの構成を示す分解斜視図であり、その内部に試供品用のレフィル２４を収容した例を示す。なお、ユーザーの操作を考慮して、店頭等で展示台３０（図７参照）に載置された状態（各図の図示上下方向）を、そのまま上側および下側として説明する。また、試供品用レフィル２４は、従来品と同様の構成のため、その詳細な説明を省略する。
【００２６】
本実施形態における棒状化粧料テスター１０は、口紅の色見本品を店頭等で展示する際に用いられる口紅テスターであり、口紅サンプルを収容するレフィル２４と、レフィルホルダ２と、蓋体１と、上記レフィルホルダ２の内部に挿入されるアダプタ３と、このアダプタ３に取り付けられる筒部（円筒状のダミー）４とを主体として構成されている。なお、試供品用レフィル２４において、符号２５は外筒部、２７ｂは回動操作部であり、従来品と同様の機能を有する。また、上記テスター１０は、当初、図１のようにアダプタ３に試供品用レフィル２４がセットされているが、この試供品用レフィル２４内の棒状化粧料が使い尽くされ、これを交換する場合は、アダプタ３に、後述する市販品用レフィル２９がセットされる（図４参照）。
【００２７】
上記レフィルホルダ２は、外形が多角形状（本実施形態においては四角形状）に形成された有天四角筒状であり、側面（周側壁）２ｃからなる筒状部と、この筒状部の上面（天井部）に形成された上側開口２ａとを備える。また、上記筒状部の上端部の角部には、蓋体取付用の孔を有するヒンジ部２ｆ，２ｆが設けられているとともに、この筒状部の下端には、下側開口２ｂになっており、後述するレフィル保持用のアダプタ３を挿入できるようになっている。なお、レフィルホルダ２の相対向する側面２ｃ，２ｃには、アダプタ３のスライド動作をガイドする案内溝２ｄ，２ｄがそれぞれ設けられており、この案内溝２ｄの上下位置には、アダプタ３の位置決め用突起（ストッパー３ｅ，３ｅ）と係合するストッパー穴２ｅ，２ｅが形成されている。
【００２８】
上記蓋体１は、上記レフィルホルダ２と略同じ外形形状（四角形状）に形成されており、その上部には色見本部１ａが形成されている。また、その下端の角部からは、上記レフィルホルダ２のヒンジ部２ｆ，２ｆに係合するヒンジ部１ｂ，１ｂが下方に延設されており、これらヒンジ部１ｂ，１ｂに設けられた凸部を、上記レフィルホルダ２のヒンジ部２ｆ，２ｆの孔にそれぞれ係合させることによって、この蓋体１がレフィルホルダ２に取り付けられ、このレフィルホルダ２の上端面を開閉自在に覆っている。なお、この色見本部１ａは、場合によって、口紅等の形状に形成される。
【００２９】
また、レフィル保持用のアダプタ３は、上記レフィルホルダ２の筒状部の内部形状に略沿った外形形状（短尺の有天四角筒状）であり、その天井部の中央には、後述する筒部４を取り付けるための係合穴３ａが形成されているとともに、その天井部の左右側部に、板状の市販品レフィル用保持部３ｂ，３ｂが延設されており、これらの間に上記市販品用レフィル２９を挟持できるようになっている。なお、これら市販品レフィル用保持部３ｂには、三つのスリットが設けられ、その間に可撓片３ｃが形成されている。そして、この可撓片３ｃ上に、先に述べた案内溝２ｄと係合する凸部３ｄが設けられているとともに、この凸部３ｄの上下位置に、アダプタ３の位置決め用ストッパー３ｅ，３ｅが形成されている。
【００３０】
また、上記アダプタ３の筒部４は、展示台３０（図７参照）のテスター挿入穴３０ａに差し込むためのものであって、その上端部には、円周方向に一対の凸条が所定の間隔を空けて形成され、それらの間が円周溝４ａとなっている。また、上記筒部４の上部には、この筒部４に可撓性を付与して、上記係合穴３ａへの係合を容易にするスリット４ｂ，４ｂが形成されており、上記円周溝４ａを、先に述べたアダプタ３の係合穴３ａの縁部に係合させて、上記アダプタ３の下側に一体に取り付けられる。なお、この筒部４の外径（外周面４ｃ）は、上記展示台３０のテスター挿入穴３０ａに挿入することのできる大きさに設定されているとともに、その内径（内周面４ｄ）は、上記試供品用レフィル２４の回動操作部２７ｂを嵌合できる大きさに設定されている。そして、上記筒部４は、上記アダプタ３の係合穴３ａに係合した状態において、その係合穴周りに回転自在となっている。
【００３１】
つぎに、本実施形態における棒状化粧料テスター１０を組み立てた状態と、その使用方法について説明する。
【００３２】
図２は、本実施形態の棒状化粧料テスター１０が展示台３０に陳列された状態を示す断面図である。
この図のように、本実施形態における棒状化粧料テスター１０は、試供品用レフィル２４を、口紅の繰出口（外筒部２５の開口）を上に向けた状態で保持するとともに、その下部に配設された筒部４を、展示台３０のテスター挿入穴３０ａに挿通して、テスター１０全体が起立状態で支持されている。
【００３３】
そして、棒状化粧料テスター１０は、上記アダプタ３と一体に配設された筒部４の内周に、このアダプタ３の内部空間を挿通して、試供品用レフィル２４の回動操作部２７ｂが圧入され、このレフィル２４全体を、上下方向の昇降自在に支持している。
【００３４】
上記のような構成の棒状化粧料テスター１０をユーザーが使用する場合は、図３（ａ）のように、まず、上記テスター１０を展示台３０から抜き出し、レフィルホルダ２の上に位置する蓋体１を回動させて（矢印Ａ）、このレフィルホルダ２の上端面部を露出させる。そして、レフィルホルダ２の下に位置する筒部４を、案内溝２ｄに沿って押し上げる（矢印Ｂ）ことにより、図３（ｂ）のように、レフィルホルダ２上面の上側開口２ａから、レフィル２４の外筒部２５の先端部が突出（露出）する。
【００３５】
そして、図３（ｂ）の矢印Ｃ，Ｃ’のように、上記露出した外筒部２５と、上記回動操作部２７ｂが嵌合された筒部４とを把持して、これらを相対回転させることにより、レフィル２４内の口紅を容易に繰り出し、試用することができる。
【００３６】
なお、このとき、アダプタ３の凸部３ｄが案内溝２ｄの上端に達した時点で、上記凸部３ｄの上側に設けられているストッパー３ｅが、レフィルホルダ２のストッパー穴２ｅに係合し、このアダプタ３の上下位置が仮止めされる。そのため、ユーザーが筒部４（アダプタ３）から手を離しても、上記先端が露出したレフィル２４が降下してしまうことがない。また、蓋体１がヒンジを介してレフィルホルダ２に接続されていることから、ユーザーが使用中に蓋体１を紛失するおそれがない。
【００３７】
つぎに、本実施形態の棒状化粧料テスターにおいて、内部のレフィル２４を交換する場合について説明する。
上述のような口紅テスターの展示では、テスター１０が長期間展示されていると、試し塗りを繰り返されるために、試供品用レフィル２４が使い尽くされたり、その内部に収容された棒状化粧料がすり減って見栄えが悪くなったりする場合がある。このようなときは、レフィルを新しいものと交換する必要が生じる。
【００３８】
しかしながら、上記試供品用のレフィル２４は、販売促進用として限定生産されたもので再入手が困難である。そこで、上記試供品用のレフィル２４に代えて、図４の分解図のように、市販品（商品）に用いられているカートリッジ（市販品用のレフィル２９）を上記レフィルホルダ２に保持して展示する場合がある。
【００３９】
この市販品用レフィル２９は、通常、その回動操作部の周囲に、「袴（ハカマ）」と呼ばれる装飾用の筒状部材（以下「袴部」という）２９ａが装着されており、この袴部２９ａの外径は、外筒部２５より大径になっている。そのため、この市販品用レフィル２９をテスター１０に用いる場合は、図５の断面図に示すように、上記袴部２９ａを、アダプタ３の縁部から上方に突設された市販品レフィル用保持部３ｂ，３ｂの間に挟持させ、この市販品用レフィル２９の繰出口（外筒部２５の開口）を上に向けた状態で、上記レフィルホルダ２の下側開口２ｂから挿入する。
【００４０】
上記の構成により、本実施形態における棒状化粧料テスター１０は、市販品用レフィル２９を使用した場合でも、このレフィル２９を、口紅の繰出口を上に向けた状態で保持するとともに、その下部に配設された筒部４を、展示台３０のテスター挿入穴３０ａに挿通して、テスター１０全体を起立状態で支持することができる。また、上記レフィル２９の袴部２９ａが、上下方向にスライド自在のアダプタ３に保持されているため、前記試供品用レフィル２４同様、このレフィル２９全体が、上下方向の昇降自在に支持される。
【００４１】
なお、先に述べた試供品用レフィル２４を用いた場合と異なり、この市販品用レフィル２９の回動操作部（袴部２９ａ）が、上記アダプタ３に直接圧入固定されていることから、この市販品用レフィル２９に収容された口紅を繰り出す場合は、レフィルホルダ２上面の上側開口２ａから露出したレフィル２９の外筒部２５と、このレフィルホルダ２本体とを把持して、これらを相対回転させることにより、レフィル２９内の口紅を繰り出す。
【００４２】
上記の構成により、本実施形態における棒状化粧料テスター１０は、各レフィル２４，２９を上向きに保持することから、低粘度や低融点等の棒状化粧料であっても、これらレフィル２４，２９から、溶融した棒状化粧料等が落下したりするおそれがない。また、レフィルホルダ２の上面が蓋体１により覆われていることから、その内部に埃等が入り込むことが防止されるとともに、照明光等によるレフィルの温度上昇を抑制することができる。しかも、従来のテスター用展示台３０をそのまま利用することができ、展示台や陳列台等の設計を変更する必要がない点で有利である。
【００４３】
さらに、本実施形態における棒状化粧料テスター１０は、ユーザーが使用中に蓋体１を紛失するおそれがなく、上記案内溝２ｄが外部から目視可能になっているため、上記蓋体１を開けてから内部のレフィル２４，２９をスライドさせる、というこのテスター１０の操作方法が、試用するユーザーに理解され易い。したがって、本実施形態における棒状化粧料テスター１０は、詳しい説明書き等がなくても、直感的に使用できるという利点がある。
【００４４】
また、本実施形態における棒状化粧料テスター１０は、上記アダプタ３の凸部３ｄが可撓片３ｃ上に設けられているため、この凸部３ｄを押し込むだけで、アダプタ３をレフィルホルダ２から容易に抜き取ることができる。したがって、本実施形態の棒状化粧料テスター１０は、このアダプタ３あるいは筒部４に嵌合された各レフィル２４，２９を、簡単に交換することができる点で優れる。
【００４５】
なお、上記実施形態においては、メーカーより提供されるレフィル２４，２９の代表的な形状に合わせて構成した例を示したが、これら試供品用レフィルや市販品用レフィルは、種々の形状や構造等が存在し、試供品用レフィルが提供されない場合もある。
【００４６】
そのため、本発明において上記レフィルを嵌合保持する、棒状化粧料テスター１０のアダプタ３の形状としては、例えば、図６（ａ）に示すように、試供品用レフィル２４の回動操作部２７ｂを嵌合する下部の筒部４（円筒状のダミー）を、上部のアダプタ３と一体に、かつ、回転不能に成形してもよい。また、その筒部の内部が中空でも中実でも差し支えない。
【００４７】
また、図６（ｂ）のように、市販品用レフィル２９の袴部２９ａを嵌合する市販品レフィル用保持部３ｂを、箱状やその他の形状としてもよく、その形状は、市販品（商品）に合わせて適宜変更すればよい。そして、本発明のアダプタ３において、市販品用レフィル２９を使用しないのであれば、当然、市販品レフィル用保持部３ｂを設ける必要はなく、レフィルホルダ２の案内溝２ｄに係合する凸部３ｄの形状，個数や形成位置、および、可撓片３ｃの形成位置や有無等も任意である。
【００４８】
さらに、上記実施形態においては、アダプタ３のスライドをガイドする案内溝２ｄを、レフィルホルダ２の側面２ｃを貫通する長孔として形成したが、この案内溝２ｄは、このレフィルホルダ２の側面２ｃを必ずしも貫通させる必要はない。例えば、この案内溝２ｄは、少なくとも上記レフィルホルダ２の内側面側に形成されていればよく、その外側面側を透明にすることによって、レフィルホルダ２外部から目視可能にしてもよい。
【００４９】
また、上記実施形態においては、顧客の試用に供される口紅テスターを例に説明したが、本発明の棒状化粧料テスターは、口紅の他、リップクリーム等、その他のスティック状化粧品のテスターに適用できる。したがって、本発明の棒状化粧料テスターにおけるレフィルホルダや蓋体，アダプタ，ダミー等を構成する材料や、これらの形状も特に限定されず、それらの形状等は、その商品に合わせて適宜変更すればよい。
【産業上の利用可能性】
【００５０】
本発明は、店頭等に展示されてユーザーが試用することのできる口紅テスターやリップクリームテスター等、不特定多数の人が利用する可能性のある棒状化粧料のテスターに適する。また、顧客に販売される市販品（商品）の棒状化粧料容器に使用することもできる。
【符号の説明】
【００５１】
１  蓋体
２  レフィルホルダ
２ａ  上側開口
２ｂ  下側開口
２ｃ  側面
２ｄ  案内溝
３  アダプタ
３ｄ  凸部
４  筒部
１０  テスター
２４  レフィル
２５  外筒部
２７ｂ  回動操作部
【図１】
0005452281.tif 000002
【図２】
0005452281.tif 000003
【図３】
0005452281.tif 000004
【図４】
0005452281.tif 000005
【図５】
0005452281.tif 000006
【図６】
0005452281.tif 000007
【図７】
0005452281.tif 000008
【図８】
0005452281.tif 000009
【図９】
0005452281.tif 000010
【図１０】
0005452281.tif 000011